(57)【要約】【課題】リードバーをブレーカ等の電気機器の端子部に接続し、このリードバーを介して電線の接続を行うプラグイン式分電盤に用いられるプラグインユニットにおいて、電線の荷重によるリードバーの変形及び電気機器の端子部への負担を回避する技術を提供すること。【解決手段】盤面に対して垂直に設置された複数本の幹線バーを備え、これらの幹線バーに着脱自在に接続されるアダプタ４の上面にブレーカ５を搭載したプラグインユニットにおいて、ブレーカ５の負荷側端子部１０には、略Ｌ字状に折り曲げ形成したリードバー１１を接続し、アダプタ４の負荷側端子部１０の近傍に、該リードバー１１を支えるリードバー支持部材１５を配置した。【選択図】図５
2015012695.tif 000002
【特許請求の範囲】
【請求項１】
盤面に対して垂直に設置された複数本の幹線バーを備え、これらの幹線バーに着脱自在に接続されるアダプタの上面にブレーカ等の電気機器を搭載したプラグイン式分電盤に用いられるプラグインユニットであって、
前記電気機器の端子部には、リードバーを接続し、
前記アダプタの前記端子部の近傍に、該リードバーを支えるリードバー支持部材を配置したことを特徴とするプラグイン式分電盤に用いられるプラグインユニット。
【請求項２】
前記アダプタは、端部に前記幹線バーへの着脱作業時の取っ手となる取手部を備え、該取手部の上面に、前記リードバー支持部材を配置したことを特徴とする請求項１記載のプラグイン式分電盤に用いられるプラグインユニット。
【請求項３】
前記リードバー支持部材を、前記アダプタと分離可能に備えることを特徴とする請求項１記載のプラグイン式分電盤に用いられるプラグインユニット。
【発明の詳細な説明】
【技術分野】
【０００１】
本発明は、幹線バーにブレーカなどの電気機器がプラグイン接続されるプラグイン式分電盤に用いられるプラグインユニットに関するものである。
【背景技術】
【０００２】
特許文献１に開示されているように、盤面に対して垂直に設置された複数本の幹線バーを備え、これらの幹線バーにブレーカを抜き差しして容易に着脱することができる構造のプラグイン式分電盤に用いられるプラグインユニットは、ブレーカの増設や取り外しが容易で施工性に優れているため、広く用いられている。
【０００３】
図７に示すように、ブレーカ２１の負荷側端子に電線２２を接続し、筐体２３の下方に向けて配線する際、電線の屈曲による損傷や性能劣化を回避するために、所定の曲げ半径（Ｒ）を確保する必要がある。
【０００４】
前記の曲げ半径（Ｒ）は、電線の太さと比例して大きくなるため、ブレーカ容量が大きくなり電線が太くなる場合には、筐体の横幅を広げて、配線スペースを確保する必要があり、筐体が大型化して省スペースの需要に対応できない問題があった。
【０００５】
これに対し、図８に示すように、Ｌ字に折り曲げ形成したリードバー２４をブレーカ２１の負荷側端子に接続し、このリードバーを介して電線２２の接続を行う技術が知られている。
【０００６】
リードバー２４を介して電線２２の接続を行うことにより、電線２２自体を屈曲させる必要がなくなり、前記の問題は回避可能となる。しかし、ブレーカ容量が大きくなり電線２２が太く重たくなる場合など、電線の荷重によるリードバーの変形やそれに伴うブレーカの端子部の負担や、電線の荷重によりリードバーが回動してブレーカ端子部のねじが緩んでしまうという新たな問題が発生する。
【先行技術文献】
【特許文献】
【０００７】
【特許文献１】特許４４４２８５３号公報
【発明の概要】
【発明が解決しようとする課題】
【０００８】
本発明の目的は前記問題を解決し、リードバーをブレーカの端子部に接続し、このリードバーを介して電線の接続を行うプラグイン式分電盤に用いられるプラグインユニットにおいて、電線の荷重によるリードバーの変形及び回動を回避することができ、ブレーカの端子部への負担を軽減する技術を提供することである。
【課題を解決するための手段】
【０００９】
上記課題を解決するためになされた本発明のプラグイン式分電盤に用いられるプラグインユニットは、盤面に対して垂直に設置された複数本の幹線バーを備え、これらの幹線バーに着脱自在に接続されるアダプタの上面にブレーカ等の電気機器を搭載したプラグイン式分電盤に用いられるプラグインユニットであって、前記電気機器の端子部には、リードバーを接続し、前記アダプタの前記端子部の近傍に、該リードバーを支えるリードバー支持部材を配置したことを特徴とするものである。
【００１０】
請求項２記載の発明は、請求項１記載のプラグイン式分電盤に用いられるプラグインユニットにおいて、前記アダプタは、端部に前記幹線バーへの着脱作業時の取っ手となる取手部を備え、該取手部の上面に、前記リードバー支持部材を配置したことを特徴とするものである。
【００１１】
請求項３記載の発明は、請求項１記載のプラグイン式分電盤に用いられるプラグインユニットにおいて、前記リードバー支持部材を、前記アダプタと分離可能に備えることを特徴とするものである。
【発明の効果】
【００１２】
盤面に対して垂直に設置された複数本の幹線バーを備え、これらの幹線バーに着脱自在に接続されるアダプタの上面にブレーカ等の電気機器を搭載したプラグイン式分電盤に用いられるプラグインユニットにおいて、電気機器の端子部に、リードバーを接続するとともに、前記アダプタの前記端子部の近傍に、該リードバーを支えるリードバー支持部材を配置することにより、リードバーにかかる電線の荷重を分散させることができる。したがって、本発明によれば、ブレーカ容量が大きくなり電線が太く重たくなる場合でも、電線の荷重によるリードバーの変形や回動を回避することができ、ブレーカの端子部への負担を軽減する。
【００１３】
また、本発明では、リードバー支持部材を、アダプタの上面に備える構成を採用しているため、リードバー支持部材を筐体内に取り付けるための基台などを別途作成する必要はなく、従来のプラグイン式分電盤に用いられるプラグインユニットの基本形態をそのまま利用して新たな機能を追加することができる。
【図面の簡単な説明】
【００１４】
【図１】本実施形態のプラグイン式分電盤の全体説明図である。
【図２】ブレーカとアダプタから構成されるプラグインユニットの全体斜視図である。
【図３】プラグインユニットにリードバーを接続した状態の側面図である。
【図４】プラグインユニットにリードバーを接続した状態の全体斜視図である。
【図５】プラグインユニットにリードバーを介して電線を接続した状態の全体斜視図である。
【図６】リードバー支持部材の全体斜視図である。
【図７】従来技術の説明図である。
【図８】従来技術の説明図である。
【図９】リードバー支持部材の他の保持構造例の側面図である。
【発明を実施するための形態】
【００１５】
以下に本発明の好ましい実施形態を示す。
【００１６】
図１において、１は分電盤の主幹ブレーカ、２は主幹ブレーカ１の負荷側に接続された幹線バーである。これらの幹線バー２は、盤面３に対して垂直に設置されている。３は幹線バー２の両側に設置されたアダプタ固定用レール２ａである。本発明では、プラグイン式のアダプタ４が盤面の上方よりこれらの幹線バー２に取り付けられ、ブレーカ５がアダプタ４を介して幹線バー２に取り付けられている。なお、本実施形態は電気機器としてブレーカ５を利用したものであるが、ブレーカ５の代わりとして端子台、端子部を有する電気機器等とするものであっても良い。
【００１７】
アダプタ４は、図２、３に示すように、ケース６の下面に、幹線バー２への差込みプラグ７を備え、差込みプラグ７と連結させた接続バー（図示しない）を、アダプタ４の上面に搭載したブレーカ５の電源側端子部９と接続させている。このようなアダプタを使用することにより、ブレーカ自体はプラグインタイプでなく通常のものを使用することができる。
【００１８】
図３、４に示すように、ブレーカ５の負荷側端子部１０には、リードバー１１が接続されている。リードバー１１は、一端が負荷側端子部１０と接続された接続辺１２と、接続辺１２の他端をアダプタ４方向に向けて折り曲げ形成した折り曲げ辺１３の２辺からなり、略Ｌ字状の形状を有している。
【００１９】
本実施形態では、３極式のブレーカを使用し、３極のすべてに前記形状のリードバー１１を接続している。
【００２０】
図５に示すように、折り曲げ辺１３の先端には、電線１４が接続される。
【００２１】
本実施形態では、図３から図５に示すように、３極式のブレーカの各極に接続されるリードバー１１を、各々、接続辺１２の長さ、および、折り曲げ辺１３の長さが重複しないように形成して、各極に接続される電線１４同士が重なって配線の妨げとならない構造としている。
【００２２】
リードバー１１の折り曲げ辺１３の先端に、太径で重量の大きい電線１４が接続されると、リードバー１１に大きな荷重がかかり、大きな曲げ応力が発生する。本発明では、アダプタ４の上面で、負荷側端子部１０の近傍に、リードバーの下面を支えるリードバー支持部材１５を配置し、リードバー支持部材１５にリードバー１１をねじで固定可能に形成することにより、リードバー１１にかかる電線の荷重の分散を図り、電線の荷重によるリードバー１１の変形を回避している。特に、本実施形態のようなＬ字状のリードバー１１を接続する場合においては、電線の荷重によりリードバー１１のねじれる方向へ変形することがあるが、リードバー１１を負荷端子部１０及びリードバー支持部材１５の２点で強固に固定するため変形を防止することが可能となっている。
【００２３】
なお、Ｌ字状のリードバー１１に限らず、折り曲げ辺１３を形成しない接続辺１２のみのリードバー１１であっても、図１に示すように幹線バー２に対してブレーカ５を垂直に保持させた場合には、リードバー１１には下方に回動するような荷重が加わるが、本実施形態のようにリードバー１１をブレーカ５の負荷側端子部１０と接続するほか、リードバー支持部材１５上にも固定しているため、回動する荷重に対しても強固に保持でき、回動することを防止するのでねじの緩みなどの問題も生じることが無くなるものである。
【００２４】
また、リードバー支持部材１５をアダプタ４の上面に備える構成を採用しているため、リードバー支持部材１５用の基台など別途作成する必要もないので、部品点数を削減可能とすると共に、従来のプラグインユニットの基本形態をそのまま利用することが可能となるものである。
【００２５】
本実施形態では、図２に示すように、アダプタ４の上端部すなわちアダプタ４のブレーカ５の端子部方向に形成された取手部６ａ（幹線バー２への着脱作業時の取っ手となる箇所）の上面に、リードバー支持部材１５を配置している。なお、取手部６ａとは、アダプタ固定用レール２ａに取り付けられるレール取付部６ｂを形成する辺より延長させたものでも良く、少なくともアダプタ４の端部をブレーカ５の端子部９，１０より外側に突出するように形成しリードバー支持部材１１を設置できるようなものであれば良い。本実施形態では、リードバー支持部材１１を、アダプタ４に形成された取手部１６の上面に取付部１５ａを介してネジ止めして固定する構造としているが、アダプタ４の取手部１６と一体に形成することもできる。また、その他の構造として図９に示すように、アダプタ４に取付金具２５を介してブレーカ５の端子部の近傍にリードバー支持部材１５を形成するものであっても良い。
【００２６】
図６に示すように、リードバー支持部材１５の上面には、リードバー１１の下面を支えるリードバー支持面１６が形成されている。リードバー１１の一端は、負荷側端子部１０に接続されているため、負荷側端子部１０における接続面１７とリードバー支持面１６とを略同一平面上に位置させて、リードバー１１が水平に保たれる構造とすることが好ましい。
【００２７】
その他、図５に示すように、隣接するリードバー１１間に絶縁カバー１８を配置できるように、リードバー支持部材１５は、絶縁カバー１８を保持する仕切部材１９を保持可能とする構造とすることが好ましい。この場合、リードバー支持部材１５には、図６に示すように、仕切部材１９を保持する仕切部材保持部２０を複数形成し、高さの異なるブレーカごとに、仕切部材１９の先端高さ位置を調節できる構造としておくことが好ましい。
【００２８】
なお、本実施形態の説明としては、ブレーカ５の負荷端子部１０側にリードバー支持部材１５を形成し、ブレーカ５の負荷端子部１０や、リードバー１１自体への負担を軽減するものであるが、幹線バー２に主幹ブレーカ１を搭載する場合には電源側端子部９側に変電所や受電設備などからの入力用の電線を接続するリードバー１１を接続することがある。そのため、本実施形態のリードバー支持部材１５をアダプタ４の電源側端子部9側の取手部１６に形成するものであっても良い。
【符号の説明】
【００２９】
１  主幹ブレーカ
２  幹線バー
２ａ  アダプタ固定用レール
３  盤面
４  アダプタ
５  ブレーカ
６  ケース
６ａ  取手部
６ｂ  レール取付部
７  差込みプラグ
９  電源側端子部
１０  負荷側端子部
１１  リードバー
１２  接続辺
１３  折り曲げ辺
１４  電線
１５  リードバー支持部材
１５ａ  取付部
１６  リードバー支持面
１７  負荷側端子部における接続面
１８  絶縁カバー
１９  仕切部材
２０  仕切部材保持部
２１  ブレーカ
２２  電線
２３  筐体
２４  リードバー
【図１】
2015012695.tif 000003
【図２】
2015012695.tif 000004
【図３】
2015012695.tif 000005
【図４】
2015012695.tif 000006
【図５】
2015012695.tif 000007
【図６】
2015012695.tif 000008
【図７】
2015012695.tif 000009
【図８】
2015012695.tif 000010
【図９】
2015012695.tif 000011